(57)【特許請求の範囲】
【請求項１】
受け付けた印刷ジョブを受け付け順に順次実行するとともに、所定のタイミングを検知して画質調整（プロコン）を実行する画像形成装置において、文字印刷ジョブか写真印刷ジョブかを判別した前記印刷ジョブの実行順序を管理するジョブ管理手段と、前記画質調整の実施タイミングを検知したときに、前記ジョブ管理手段に管理されている前記印刷ジョブの実行順序を、文字印刷ジョブを写真印刷ジョブより優先するように組み替えるとともに、前記組み替えられた文字印刷ジョブよりも後に、画質調整を実施するジョブを印刷ジョブの形態にして挿入するジョブ組替手段と、を備え、前記ジョブ管理手段は、前記ジョブ組替手段により組み替えられた印刷ジョブの実行順序に基づいて順次実行し、前記画質調整の実施タイミングを検知しないときには、前記ジョブ管理手段に管理されている前記印刷ジョブの実行順序に基づいて順次実行することを特徴とする画像形成装置。
【請求項２】
受け付けた印刷ジョブを受け付け順に順次実行するとともに、所定のタイミングを検知して画質調整（プロコン）を実行する画像形成装置において、文字印刷ジョブか写真印刷ジョブかを判別した前記印刷ジョブの実行順序を管理するジョブ管理手段と、前記画質調整の実施タイミングを検知したときに、前記ジョブ管理手段に管理されている前記印刷ジョブの実行順序を、文字印刷ジョブを写真印刷ジョブより優先するように組み替えるとともに、前記組み替えられた印刷ジョブの印刷予測ページ数の累計が所定枚数を超える印刷ジョブの前に、画質調整を実施するジョブを印刷ジョブの形態にして挿入するジョブ組替手段と、を備え、前記ジョブ管理手段は、前記ジョブ組替手段により組み替えられた印刷ジョブの実行順序に基づいて順次実行することを特徴とする画像形成装置。
【発明の詳細な説明】
【技術分野】
【０００１】
本発明は、印刷ジョブの形態で印刷を実行する画質調整機能を備えた画像形成装置に関する。
【背景技術】
【０００２】
画像形成装置の出力画像は、温度変化等の環境変化やプリンタエンジンを構成する部品の経年変化等の状態変化に伴って変化する。したがって、出力画像の品質を維持するためには、環境変化等の状態変化に応じて、プリンタエンジンの出力特性を調整するための処理（濃度調整、色ズレ調整）、すなわち、キャリブレーションが必要である。このキャリブレーションは、画像形成装置の高解像度化、カラー化に伴って、極めて重要な処理である。
【０００３】
このキャリブレーションは、所定のタイミング（累計印刷枚数、電源投入からの所定時間経過）により実行され、一旦キャリブレーションが実行されると、ユーザは、その間キャリブレーションが終了するまで待たされていた。
【０００４】
このため、特許文献１には、キャリブレーションの実施時期が到来しても、印刷ジョブが連続的に実行される場合に、所定枚数までは印刷ジョブを実行させて、印刷の中断をできるだけ抑制して、出力特性の低下を防止する印刷装置が開示されている。
【特許文献１】特開２００２−２２９２７８号公報
【発明の開示】
【発明が解決しようとする課題】
【０００５】
上記の特許文献１では、キャリブレーションの実施タイミング後、連続する印刷ジョブの途中で、印刷された累積枚数が所定の枚数を超えると、キャリブレーションが強制的に実行されてしまう。そのため、文字出力のような画質を問わないユーザの出力まで待たされることになる。
【０００６】
本発明は、上記の実情を考慮してなされたものであって、画質調整動作の実施タイミング後、画質を問わない印刷ジョブを優先して出力することにより、印刷完了の待ち時間を短縮できる利便性に優れた画像形成装置を提供することを目的とする。
【課題を解決するための手段】
【０００７】
上記の課題を解決するために、本発明の画像形成装置は、次のような構成とする。
画像形成装置は、受け付けた印刷ジョブを受け付け順に順次実行するとともに、所定のタイミングを検知して画質調整（プロコン）を実行する画像形成装置において、文字印刷ジョブか写真印刷ジョブかを判別した前記印刷ジョブの実行順序を管理するジョブ管理手段と、前記画質調整の実施タイミングを検知したときに、前記ジョブ管理手段に管理されている前記印刷ジョブの実行順序を、文字印刷ジョブを写真印刷ジョブより優先するように組み替えるとともに、前記組み替えられた文字印刷ジョブよりも後に、画質調整を実施するジョブを印刷ジョブの形態にして挿入するジョブ組替手段と、を備え、前記ジョブ管理手段は、前記ジョブ組替手段により組み替えられた印刷ジョブの実行順序に基づいて順次実行し、前記画質調整の実施タイミングを検知しないときには、前記ジョブ管理手段に管理されている前記印刷ジョブの実行順序に基づいて順次実行する。
【０００８】
あるいは、画像形成装置は、受け付けた印刷ジョブを受け付け順に順次実行するとともに、所定のタイミングを検知して画質調整（プロコン）を実行する画像形成装置において、文字印刷ジョブか写真印刷ジョブかを判別した前記印刷ジョブの実行順序を管理するジョブ管理手段と、前記画質調整の実施タイミングを検知したときに、前記ジョブ管理手段に管理されている前記印刷ジョブの実行順序を、文字印刷ジョブを写真印刷ジョブより優先するように組み替えるとともに、前記組み替えられた印刷ジョブの印刷予測ページ数の累計が所定枚数を超える印刷ジョブの前に、画質調整を実施するジョブを印刷ジョブの形態にして挿入するジョブ組替手段と、を備え、前記ジョブ管理手段は、前記ジョブ組替手段により組み替えられた印刷ジョブの実行順序に基づいて順次実行する。
【０００９】
前記受け付けた印刷ジョブが原稿読取装置で読み取った原稿である場合、原稿全体で隣接する画素の濃度差をそれぞれ算出して、累計し、累計値が所定値より高ければ文字原稿、低ければ写真原稿と判定する。
また、前記受け付けた印刷ジョブが外部機器(ＰＣ)から印字データとして受信した場合、印字データをラスタ化処理してから印字データ全体で隣接する画素の濃度差をそれぞれ算出して、累計し、累計値が所定値より高ければ文字原稿、低ければ写真原稿と判定する。
また、前記受け付けた印刷ジョブが外部機器(ＰＣ)から印字データとして受信した場合、プリンタドライバにて取得した印字データに写真が含まれるか否かの判定情報を受信して、判定情報に基づき判定処理を行う。
【発明の効果】
【００１０】
本発明によれば、画質調整動作の実施タイミング後、画質を問わない印刷ジョブ（例えば、画質調整（特に、中間調の濃度調整）が不要な文字のみからなる印刷ジョブ）を優先して出力するので、印刷完了までの待ち時間が短縮され、ユーザにとって利便性に優れた画像形成装置を提供できる。
【発明を実施するための最良の形態】
【００１１】
以下、図面を参照して本発明の実施形態に係る好適な画像形成装置について説明する。
本実施形態では、パーソナルコンピュータやファクシミリ装置と接続する画像形成装置を例にして説明するが、これに限定されるものではなく、印刷をジョブ単位で行い、画質調整機能を有する画像形成装置であれば、本発明を適用することができる。
【００１２】
図１は、本実施形態に係る画像形成装置が適用されるシステムの全体図である。図１において、画像形成装置１０には、ネットワーク３０を介して１台以上のパーソナルコンピュータ（ＰＣ）２０が接続されており、また、ファクシミリ機能を有するときには電話回線網５０を介して１台以上のファクシミリ装置（ＦＡＸ）４０が接続される。
これらのＰＣ２０やＦＡＸ４０は、画像形成装置１０に画像を形成させるためのデータを送信する。
【００１３】
画像形成装置１０は、ＰＣ２０やＦＡＸ４０から送られてきたデータ、あるいは当該装置１０自身で読み取った画像情報を印刷ジョブとして管理し、管理された印刷ジョブを順番に実行して印刷紙に画像を形成する。
【００１４】
図２は、画像形成装置１０の内部構成を示すブロック図である。図２において、画像形成装置１０は、装置制御部１１、画像読取部１２、画像形成部１３、記憶部１４、操作部１５、通信部１６、ＦＡＸモデム１７から構成され、さらに、画像形成部１３は、エンジン制御部１３１、エンジン部１３２、メモリ１３３を具備して概略構成される。
【００１５】
操作部１５は、当該装置１０に設けられる操作パネルであり、当該装置１０の記録紙や複写枚数の選択、形成される画像の濃淡その他の各種設定値等の入力部と、それらの設定情報あるいは種々の動作状況（故障情報、エラーメッセージ等）を表示する表示部とを備えている。
【００１６】
画像読取部１２は、載置された原稿に対して光源から照射された照明光による原稿からの反射光を電気信号へ光電変換するＣＣＤ（Ｃｈａｒｇｅ  Ｃｏｕｐｌｅｄ  Ｄｅｖｉｃｅ）を備え、該ＣＣＤにより光電変換された電気信号を増幅手段により必要に応じて増幅した後にＡ／Ｄ変換し、原稿の画像データを記憶部１４に格納する。
また、ＰＣ２０から送られてきたデータを通信部１６を介して取得し、あるいは、ＦＡＸ４０から送られてきたデータをＦＡＸモデム１７を介して取得し、取得したこれらのデータを記憶部１４に格納する。
【００１７】
画像形成部１３は、紙搬送制御や画像形成制御を行うエンジン制御部１３１、エンジン制御部１３１によって制御が行われるエンジン部１３２を備えている。
エンジン制御部１３１は、装置制御部１１から受け取る印刷信号に応じて、記憶部１４からデータを読み出してエンジン部１３２に入力し、エンジン部１３２は、入力されたデータに応じた静電潜像を感光体ドラム上に形成し、該静電潜像を所定の色のトナーによって現像し、現像されたトナー像を記録紙上に転写し、定着させることにより画像を記録紙上に記録再現する。
また、エンジン制御部１３１は、印刷枚数や稼働時間を検出しており、累積印刷枚数もしくは累積稼働時間から画質調整動作の実施タイミングが到来したかを判定して、画質調整動作の実施タイミングの到来を装置制御部１１に通知する制御も行う。
【００１８】
装置制御部１１は、ＭＰＵ（Micro Processing Unit）およびその他周辺機器を具備して構成され、ＭＰＵが記憶部１４に記憶されている各種コンピュータプログラムを実行することによって、当該装置１０の上述の各制御部やＰＣ２０やＦＡＸ４０等との通信処理や印刷ジョブの管理処理が行われる。
【００１９】
記憶部１４は、揮発性のメモリや非揮発性のメモリで構成され、当該装置１０を制御する各種コンピュータプログラムや制御情報や設定情報、および、印刷ジョブデータを含む各種データを記憶する記憶領域を提供する。
【００２０】
次に、装置制御部１１における印刷ジョブ（以下、「ジョブ」ともいう）の管理処理について説明する。
図３は、装置制御部１１におけるジョブの制御構成を示すブロック図である。図３において、装置制御部１１は、ジョブ制御部１１１、ジョブ入力部１１２、区分判定部１１３を含んで構成されている。
【００２１】
ジョブ管理記憶部１４１は、記憶部１４内に格納され、図４に例示したようなデータ項目を持ち、ジョブ入力部１１２で受信したジョブごとに、受付から実行終了までの状態を記憶する。
【００２２】
ジョブＩＤ：実行受け付けた時点で与えられるジョブを識別するための識別子である。
受付日時：ジョブを受け付けたときの日時情報である。
区分：ジョブの種類を示す。この区分は、印刷データに写真が含まれている場合には、「写真」とし、印刷データが文字だけからなる場合には「文字」とする。また、画質調整動作の実施コマンド（「プロコンコマンド」ともいう）が印刷データに含まれている場合には、区分を「プロコン」とする。
ページ数：ジョブを印刷した場合の予測ページ数である。
印刷データ：受け付けたジョブの内容を記憶する記憶部１４のアドレスあるいはファイル名である。
印刷フラグ：このジョブが印刷実行中の場合にはＯＮが設定され、未だ印刷が実行されていないジョブにはＯＦＦが設定される。
【００２３】
ジョブ入力部１１２は、次の３種類のデータをそれぞれ受け取って、ジョブ制御部１１１へ供給する。
（１）画像読取部１２で読み取られた画像データを記憶部１４に記憶して、このファイル名をジョブ制御部１１１へ供給する。
（２）ＰＣ２０から送信された印刷データを通信部１６を介して受信し、印刷データを記憶部１４に記憶して、このファイル名をジョブ制御部１１１へ供給する。
（３）ＦＡＸ４０から送信された画像データをＦＡＸモデム１７を介して受信し、画像データを記憶部１４に記憶して、このファイル名をジョブ制御部１１１へ供給する。
【００２４】
区分判定部１１３は、ジョブ入力部１１２から供給されたデータをジョブ管理記憶部１４１に登録する時にジョブ制御部１１１から呼び出される。
区分判定部１１３は、ジョブ入力部１１２から供給されたデータが写真を含むデータであるのか、または、文字だけからなるデータであるかを下記に示すように区別し、その区別した結果（「写真」または「文字」）をジョブ制御部１１１に戻す。
【００２５】
（１）画像読取部１２で読み取られた画像データの場合には、例えば、原稿全体で隣接する画素の濃度差をそれぞれ算出して、累計し、累計値が所定値より高ければ文字原稿と判定し、低ければ写真原稿と判定する。なぜならば、文字原稿は、白黒２値が主体で濃度変化が大きく隣接する画素の濃度差累計が大きくなる傾向にあり、一方、写真原稿は、濃度の変化が緩慢なので濃度差累計は小さくなるためである。
【００２６】
（２）ＦＡＸ４０から送られた画像データについても、上記（１）と同様にして判定する。
【００２７】
（３）ＰＣ２０から送信された印刷データの場合には、印刷データをラスタ化処理してから上記（１）の方法で判定してもよいし、あるいは、アプリケーションから基データ（印字データに変換する前のデータ）に写真が含まれるか否かの情報（たとえば、基データにｊｐｇファイル形式のデータを含むか否か）が取得できれば、プリンタドライバで判定して、その判定結果を画像形成装置１０に通知するようにしてもよい。
【００２８】
ジョブ制御部１１１は、ジョブ受付機能、ジョブ管理機能、ジョブ組替機能、ジョブ実行結果管理機能を有しており、これらの機能は並行して動作する。
【００２９】
ジョブ受付機能は、ジョブ入力部１１２からファイル名が供給されると、印刷ジョブとして受付日時順にジョブ管理記憶部１４１へ記憶する。
【００３０】
ジョブ管理機能は、ジョブ管理記憶部１４１に記憶したジョブの実行を管理する。
ジョブは、ジョブ管理記憶部１４１の組替が行われておらず、何も印刷実行が行われていないときに、トップジョブから１つずつジョブ実行結果管理機能に引き渡すことによって実行される。ここで、トップジョブとは、ジョブ管理記憶部１４１に記憶されている最も先に印刷されるジョブのことをいう。
【００３１】
ジョブ組替機能は、印刷処理と並行処理で実施されており、エンジン制御部１３１から画質調整動作の実施タイミングの到来の通知を受けると、ジョブ管理記憶部１４１のジョブの順番を組み替える。この組替は、ジョブの印刷が行われていないときに実行され、組替の実行が開始されると印字禁止がジョブ管理機能へ通知され、組替の実行が終了すると印字許可の通知がジョブ管理機能へ通知される。
【００３２】
ジョブ実行結果管理機能は、ジョブ管理機能から引き渡されたジョブを印刷中の状態とし、このジョブと印刷データをエンジン制御部１３１へ引き渡し、エンジン制御部１３１から終了通知されるのを待つ。
ジョブ実行結果管理機能は、ジョブの終了通知を受け取ると、終了したジョブに関する記録をジョブ管理記憶部１４１から削除する。
【００３３】
次に、ジョブ受付機能、ジョブ管理機能、ジョブ組替機能、ジョブ実行結果管理機能の各機能の実行について詳細に説明する。
【００３４】
ジョブ受付機能は、ジョブ入力部１１２からファイル名が供給されると、以下の処理を行うことによって、受け付けたジョブを受付日時順に待ち行列に投入する。
【００３５】
（１）この機能を実行するたびに新しいジョブＩＤを生成する。
（２）現在の日時を取得し、受付日時とする。
（３）ジョブ入力部１１２から供給されたファイルに記憶されているデータの区分を区分判定部１１３によって取得する。
（４）ジョブ入力部１１２から供給されたファイルに記憶されているデータのページ数を予測する。
（５）上記で求められたジョブＩＤ、受付日時、区分、ページ数、ファイル名を１つの印刷ジョブとして、受付日時順にジョブ管理記憶部１４１へ記憶する。このジョブの印刷フラグには、印刷実行前であるからＯＦＦが設定される。
【００３６】
ジョブ管理機能は、ジョブ組替機能から印字禁止の通知を受けた場合、印字許可の通知を受けるまで待機したあと、ジョブ管理記憶部１４１のトップジョブの印刷フラグを監視し、トップジョブの印刷フラグがＯＦＦになったときに、このトップジョブをジョブ実行結果管理機能に引き渡し、トップジョブの印刷フラグがＯＦＦになるまで待機する。
【００３７】
次に、ジョブ管理機能の処理手順を図５のフローチャートを用いて説明する。
まず、ジョブ組替機能によるジョブの実行順序の組替が終了するまで待機する（ステップＳ１０）。これは、ジョブ組替機能が設定する印字禁止フラグが印字禁止を示すステータスであるかどうかをチェックし、印字禁止ステータスであれば、印字許可のステータスになるまで待機する。
【００３８】
ジョブ管理記憶部１４１に印刷ジョブがない場合（ステップＳ１１でＮＯ）、ステップＳ１０に戻って、新しいジョブが受け付けられるまで待機する。
さらに、トップジョブの印刷フラグがＯＮ（印刷中）であれば（ステップＳ１２でＹＥＳ）、ステップＳ１０に戻って、このトップジョブの印刷が終了するまで待機する。
【００３９】
次に、トップジョブの区分が「写真」あるいは「文字」の時には（ステップＳ１３で「写真」あるいは「文字」）、トップジョブをジョブ実行結果管理機能に引き渡してステップＳ１０へ戻る。ジョブ実行結果管理機能において、このトップジョブの実行をエンジン制御部１３１で実行させることによって、印刷データの画像形成が行われる。
【００４０】
一方、トップジョブの区分が「プロコン」の時には（ステップＳ１３で「プロコン」）、このトップジョブをジョブ実行結果管理機能に引き渡してステップＳ１０へ戻る。ジョブ実行結果管理機能において、このトップジョブの実行をエンジン制御部１３１で実行させることによって、画質調整動作が実施される。
このように、印刷ジョブ列の中に画質調整動作を実施するコマンドを印刷ジョブとすることによって、任意の印刷ジョブの合間に画質調整動作を実行させることができる。
【００４１】
次に、図６のフローチャートを用いてジョブ組替機能の処理手順を説明する。
ジョブ組替機能は、エンジン制御部１３１から画質調整動作の実施タイミングの到来の通知を受け取るまで待機している（ステップ２０）。
【００４２】
ジョブ管理記憶部１４１を参照して、トップジョブの印刷フラグがＯＮであれば、トップジョブの印刷が終了するまで待機する（ステップＳ２１でＹＥＳ）。
【００４３】
一方、トップジョブが存在しないか、あるいは、トップジョブの印刷フラグがＯＦＦであれば（ステップＳ２１でＮＯ）、印字禁止フラグを印字禁止を示すステータスに切り換えることによって、ジョブ管理機能へ印字禁止を通知する。
さらに、ジョブ管理記憶部１４１のジョブの順番を組み替えて、画質調整動作を実施するコマンドのジョブを追加する（詳細は後述）（ステップＳ２３）。
ジョブの組替が終了すると、印字禁止フラグを印字許可を示すステータスに切り換えることによって、ジョブ管理機能へ印字許可を通知し、ステップＳ２０へ戻って、次の画質調整動作の実施タイミングが到来するまで待機する（ステップＳ２４）。
【００４４】
次に、図４に示した例を使って、ジョブの組み替え方法を説明する。
まず、ジョブ管理記憶部１４１に記憶された各ジョブを、区分が「写真」のジョブよりも「文字」のジョブが優先されるように整列させる。このとき、同じ区分のジョブについては、受付日時が古い方を優先するものとする。
【００４５】
図４においては、区分が「文字」のジョブは、図７（Ａ）に示す２つのジョブであり、区分が「写真」のジョブは、図７（Ｂ）に示す２つのジョブであるから、上記の整列を行うと図７（Ｃ）のように整列される。
【００４６】
次に、画質調整動作の実施を行うコマンドのジョブを次のいずれかの方法で挿入する。
第１の方法は、図８に例示するように、整列された区分が「文字」のジョブと区分が「写真」のジョブの間に画質調整動作の実施ジョブを挿入する。ここで、ジョブ管理記憶部１４１には、新たに発生させたジョブＩＤと、現在の日時から作成された受付日時と、区分に「プロコン」と、印刷データとして画質調整動作の実施コマンドと、印刷フラグにＯＦＦを設定する。
このように、区分が「文字」の印刷ジョブを優先させることによって、文字データからなる印刷の待ち時間を短縮することができる。
【００４７】
第２の方法は、図９（Ｂ）に例示するように、上述のように整列したジョブの印刷枚数が所定の枚数を超えない順序で画質調整動作の実施ジョブを挿入する。
例えば、画質調整動作の実施タイミングから画質調整動作を実施するまでに印刷が許容されている上限枚数（上述の「所定の印刷枚数」）が２０枚の場合、組替後のジョブのページ数の累計が２０枚を超えないジョブの後に、画質調整動作の実施ジョブを挿入する。
【００４８】
図９（Ａ）では、全部のジョブのページ数の和が１０＋５＋１０＋５＋７＋１０＝４７で２０を超える。しかし、図９（Ｂ）のように、組替後のジョブＩＤが「４」までのジョブの累計ページ数は１０＋５＝１５であるから２０を超えない。したがって、２０ページを越えないジョブＩＤ「４」の後に画質調整動作の実施ジョブを挿入する。
ジョブ管理記憶部１４１には、上記の第１の方法と同じ項目のデータが設定される。
このように、区分が「文字」の印刷ジョブを優先させることによって、文字データからなる印刷の待ち時間を短縮することができるとともに、画質調整動作の実施までに最大限の個数の印刷ジョブを実行することができる。
【００４９】
次に、ジョブ実行結果管理機能は、ジョブ管理機能から引き渡されたジョブの印刷フラグをＯＮに設定して、ジョブ管理記憶部１４１を参照し、このジョブと印刷データを記憶部１４から取得して、このジョブのジョブＩＤと区分と印刷データをエンジン制御部１３１へ引き渡し、エンジン制御部１３１から終了通知されるのを待つ。
ジョブ実行結果管理機能は、ジョブの終了通知を受け取ると、エンジン制御部１３１から終了したジョブＩＤを受け取り、このジョブＩＤに対応するジョブに関する記録をジョブ管理記憶部１４１から削除する。
【００５０】
エンジン制御部１３１は、ジョブ制御部１１１から渡されたジョブの区分が「写真」あるいは「文字」の場合には、エンジン部１３２により画像形成を実行させ、ジョブの区分が「プロコン」の場合には、画質調整動作を実施させる。
エンジン制御部１３１は、画像形成あるいは画質調整動作の実行が終了すると、終了したジョブのジョブＩＤをジョブ制御部１１１へ通知する。
【００５１】
上記の画質調整動作は、中間転写ベルト上にテストパターンを形成し、光学センサで検出したテストパターンからの反射光量に基づいて、反射光量が既定の範囲内にあるか否かを判定して、規定の範囲内でなければ画像形成条件（帯電電圧、現像バイアス電圧、レーザ光量）を調整する。
【００５２】
以上の構成により、画質調整動作の実施タイミング後、画質を問わない印刷ジョブ（例えば、画質調整（特に、中間調の濃度調整）が不要な文字のみからなる印刷ジョブ）を優先して出力するので、印刷完了までの待ち時間が短縮でき、ユーザにとって利便性に優れた画像形成装置を提供することができる。
【００５３】
尚、本発明は上述した実施形態に限定されず、本発明の要旨を逸脱しない範囲内で各種の変形、修正が可能であるのは勿論である。
【図面の簡単な説明】
【００５４】
【図１】本実施形態に係る画像形成装置が適用されるシステムの全体図である。
【図２】画像形成装置の内部構成を示すブロック図である。
【図３】装置制御部におけるジョブの制御構成を示すブロック図である。
【図４】ジョブ管理記憶部のデータ構成を示す図である。
【図５】ジョブ管理機能の処理手順を示すフローチャートである。
【図６】ジョブ組替機能の処理手順を示すフローチャートである。
【図７】図４のジョブの整列処理を説明するための図である。
【図８】第１の方法による画質調整動作の実施コマンドのジョブの挿入処理を説明するための図である。
【図９】第２の方法による画質調整動作の実施コマンドのジョブの挿入処理を説明するための図である。
【符号の説明】
【００５５】
１０…画像形成装置、１１…装置制御部、１１１…ジョブ制御部、１１２…ジョブ入力部、１１３…区分判定部、１２…画像読取部、１３…画像形成部、１３１…エンジン制御部、１３２…エンジン部、１３３…メモリ、１４…記憶部、１４１…ジョブ管理記憶部、１５…操作部、１６…通信部、１７…ＦＡＸモデム、２０…ＰＣ、３０…ネットワーク、４０…ＦＡＸ、５０…電話回線網。
【図１】
0005123726.tif 000002
【図２】
0005123726.tif 000003
【図３】
0005123726.tif 000004
【図４】
0005123726.tif 000005
【図５】
0005123726.tif 000006
【図６】
0005123726.tif 000007
【図７】
0005123726.tif 000008
【図８】
0005123726.tif 000009
【図９】
0005123726.tif 000010